(57)【要約】【課題】情報提供方法及びそのためのディスプレイ装置を提供する。【解決手段】少なくとも１つの放送番組情報を受信する段階と、所定時点以前に視聴されたコンテンツに係わる視聴履歴情報、及び所定時点以前に録画されたコンテンツに係わる録画情報のうち少なくとも一つを獲得する段階と、受信された少なくとも１つの放送番組情報のうち、所定時点に対応する放送番組情報を、所定時点を基に、第１領域にディスプレイし、視聴履歴情報及び録画情報のうち少なくとも一つを、所定時点を基に、第２領域にディスプレイする段階と、を含むことを特徴とするディスプレイ装置の情報提供方法である。【選択図】図２
2014027660.tif 000002
【特許請求の範囲】
【請求項１】
少なくとも１つの放送番組情報を受信する段階と、
所定時点以前に視聴されたコンテンツに係わる視聴履歴情報、及び前記所定時点以前に録画されたコンテンツに係わる録画情報のうち少なくとも一つを獲得する段階と、
前記受信された少なくとも１つの放送番組情報のうち、前記所定時点に対応する放送番組情報を、前記所定時点を基に、第１領域にディスプレイし、前記視聴履歴情報及び録画情報のうち、少なくとも一つを、前記所定時点を基に、第２領域にディスプレイする段階と、
を含むことを特徴とするディスプレイ装置の情報提供方法。
【請求項２】
前記ディスプレイする段階は、前記所定時点に対応する放送番組情報を、前記所定時点に対応する位置で、第１方向への第１領域にディスプレイし、前記視聴履歴情報及び前記録画情報のうち少なくとも一つを、前記所定時点に対応する位置で、第２方向への第２領域にディスプレイする段階を含むことを特徴とする請求項１に記載のディスプレイ装置の情報提供方法。
【請求項３】
前記第１方向は、前記所定時点に対応する位置から右側であり、
前記第２方向は、前記所定時点に対応する位置から左側であることを特徴とする請求項２に記載のディスプレイ装置の情報提供方法。
【請求項４】
前記所定時点は、現在時点を含むことを特徴とする請求項１に記載のディスプレイ装置の情報提供方法。
【請求項５】
前記所定時点に対応する放送番組情報をディスプレイする段階は、前記所定時点に対応する放送番組情報を所定時間間隔で、前記第１領域に配列する段階を含むことを特徴とする請求項１に記載のディスプレイ装置の情報提供方法。
【請求項６】
前記視聴履歴情報及び前記録画情報のうち少なくとも一つをディスプレイする段階は、
前記所定時点以前に視聴されたコンテンツ、及び前記所定時点以前に録画されたコンテンツのうち少なくとも一つに係わるメタデータを抽出する段階と、
前記抽出されたメタデータを基に、前記視聴履歴情報及び前記録画情報のうち少なくとも一つを所定時間間隔で、前記第２領域に配列する段階と、
を含むことを特徴とする請求項１に記載のディスプレイ装置の情報提供方法。
【請求項７】
前記情報提供方法は、経過時間情報に基づいて、前記所定時間間隔を調節する段階をさらに含むことを特徴とする請求項６に記載のディスプレイ装置の情報提供方法。
【請求項８】
前記視聴履歴情報及び前記録画情報のうち少なくとも一つをディスプレイする段階は、
ユーザ入力に基づいて、前記所定時点を変更する段階と、
前記変更された時点以前に視聴されたコンテンツに係わる視聴履歴情報、及び前記変更された時点以前に録画されたコンテンツに係わる録画情報のうち少なくとも一つを、前記第２領域にディスプレイする段階と、
を含むことを特徴とする請求項１に記載のディスプレイ装置の情報提供方法。
【請求項９】
前記視聴履歴情報及び前記録画情報のうち少なくとも一つを、前記第２領域にディスプレイする段階は、
ユーザから検索語を入力される段階と、
前記検索語に対応する視聴履歴情報、及び前記検索語に対応する録画情報のうち少なくとも一つを、前記第２領域にディスプレイする段階と、
を含むことを特徴とする請求項１に記載のディスプレイ装置の情報提供方法。
【請求項１０】
前記検索語を入力される段階は、少なくとも１つのカテゴリーに係わる選択を受信する段階を含むことを特徴とする請求項９に記載のディスプレイ装置の情報提供方法。
【請求項１１】
前記視聴履歴情報及び前記録画情報のうち少なくとも一つをディスプレイする段階は、
ユーザの識別情報を入力される段階と、
前記ユーザの識別情報に対応する視聴履歴情報、及び前記ユーザの識別情報に対応する録画情報のうち少なくとも一つを、前記第２領域にディスプレイする段階と、
を含むことを特徴とする請求項１に記載のディスプレイ装置の情報提供方法。
【請求項１２】
前記視聴履歴情報及び前記録画情報のうち少なくとも一つをディスプレイする段階は、前記視聴履歴情報及び前記録画情報のうち少なくとも一つをカレンダーにマッピングしてディスプレイする段階を含むことを特徴とする請求項１に記載のディスプレイ装置の情報提供方法。
【請求項１３】
前記ディスプレイ装置の情報提供方法は、
前記視聴履歴情報及び前記録画情報のうち少なくとも一つを基に、推薦コンテンツを決定する段階と、
前記第１領域にディスプレイされた放送番組情報のうち、前記推薦コンテンツに対応する放送番組情報に識別表示を行う段階と、
を含むことを特徴とする請求項１に記載のディスプレイ装置の情報提供方法。
【請求項１４】
前記ディスプレイ装置の情報提供方法は、前記視聴履歴情報及び前記録画情報のうち少なくとも一つを基に、少なくとも１つの放送コンテンツを自動的に録画する段階をさらに含むことを特徴とする請求項１に記載のディスプレイ装置の情報提供方法。
【請求項１５】
少なくとも１つの放送番組情報を受信する放送番組情報管理部と、
所定時点以前に視聴されたコンテンツに係わる視聴履歴情報、及び前記所定時点以前に録画されたコンテンツに係わる録画情報のうち少なくとも一つを獲得するヒストリー管理部と、
前記受信された少なくとも１つの放送番組情報のうち、前記所定時点に対応する放送番組情報を、前記所定時点を基に、第１領域にディスプレイし、前記視聴履歴情報及び前記録画情報のうち少なくとも一つを、前記所定時点を基に、第２領域にディスプレイするディスプレイ部と、
前記放送番組情報管理部、前記ヒストリー管理部及び前記ディスプレイ部を制御する制御部と、
を含むことを特徴とするディスプレイ装置。
【発明の詳細な説明】
【技術分野】
【０００１】
本発明は、ユーザに放送番組情報以外に、視聴履歴情報及び録画情報のうち、少なくとも一つをさらに提供する情報提供方法、及びそのためのディスプレイ装置に関する。
【背景技術】
【０００２】
スマートＴＶ（television）とは、ＴＶにインターネット接続機能を結合させ、各種アプリケーション（application）を設置し、ウェブサーフィン及びＶＯＤ（video on demand）視聴、ソーシャルネットワーク・サービス（ＳＮＳ：social network service）、ゲームなどの多様な機能を活用することができる多機能ＴＶを意味する。
【０００３】
スマートＴＶの最大の特徴は、ユーザ（視聴者）とＴＶとが互いに情報をやり取りすることができるという点である。これは、情報を一方的に伝達するばかりである既存のＴＶとの最大の違いである。このために、スマートＴＶを「双方向ＴＶ（interactive ＴＶ）」とも呼ぶ。
【０００４】
しかし、現在は、ユーザが、スマートＴＶの多様な機能を利用するにおいて、多くの不都合が伴っている。従って、ユーザが、スマートＴＶを介して、簡便にコンテンツを検索及び再生可能にするシステムが必要である。
【発明の概要】
【発明が解決しようとする課題】
【０００５】
本発明は、ディスプレイ装置が、ユーザに、放送番組情報だけではなく、視聴履歴情報及び録画情報のうち、少なくとも一つをさらに提供することにより、ユーザが過去に、視聴したり、あるいは録画したヒストリーを簡便に確認することを可能にする情報提供方法を提供するものである。
【課題を解決するための手段】
【０００６】
本発明の一実施形態による情報提供方法は、少なくとも１つの放送番組情報を受信する段階と、所定時点以前に視聴されたコンテンツに係わる視聴履歴情報、及び所定時点以前に録画されたコンテンツに係わる録画情報のうち少なくとも一つを獲得する段階と、受信された少なくとも１つの放送番組情報のうち、所定時点に対応する放送番組情報を、所定時点を基に、第１領域にディスプレイし、視聴履歴情報及び録画情報のうち少なくとも一つを、所定時点を基に、第２領域にディスプレイする段階と、を含んでもよい。
【０００７】
本発明の一実施形態による情報提供方法は、所定時点に対応する放送番組情報を、所定時点に対応する位置で、第１方向への第１領域にディスプレイし、視聴履歴情報及び録画情報のうち少なくとも一つを、所定時点に対応する位置で、第２方向への第２領域にディスプレイする段階を含んでもよい。
【０００８】
本発明の一実施形態による第１方向は、所定時点に対応する位置から右側であり、本発明の一実施形態による第２方向は、所定時点に対応する位置から左側でもある。
【０００９】
本発明の一実施形態による所定時点は、現在時点を含んでもよい。
【００１０】
本発明の一実施形態による情報提供方法は、所定時点に対応する放送番組情報を、所定時間間隔で第１領域に配列する段階を含んでもよい。
【００１１】
本発明の一実施形態による情報提供方法は、所定時点以前に視聴されたコンテンツ、及び所定時点以前に録画されたコンテンツのうち、少なくとも一つに係わるメタデータを抽出する段階と、抽出されたメタデータを基に、視聴履歴情報及び録画情報のうち少なくとも一つを、所定時間間隔で第２領域に配列する段階と、を含んでもよい。
【００１２】
本発明の一実施形態による情報提供方法は、経過時間情報に基づいて、第２領域の所定時間間隔を調節することができる。
【００１３】
本発明の一実施形態による情報提供方法は、視聴履歴情報及び録画情報のうち少なくとも一つを、第２領域に格子で配列する段階をさらに含んでもよい。
【００１４】
本発明の一実施形態による情報提供方法は、ユーザ入力に基づいて、所定時点を変更する段階と、変更された時点以前に視聴されたコンテンツに係わる視聴履歴情報、及び変更された時点以前に録画されたコンテンツに係わる録画情報のうち、少なくとも一つを、第２領域にディスプレイする段階と、を含んでもよい。
【００１５】
本発明の一実施形態による情報提供方法は、ユーザから検索語を入力される段階と、検索語に対応する視聴履歴情報、及び検索語に対応する録画情報のうち少なくとも一つを、第２領域にディスプレイする段階と、を含んでもよい。
【００１６】
本発明の一実施形態によるユーザから検索語を入力される段階は、少なくとも１つのカテゴリーに係わる選択を受信する段階を含んでもよい。
【００１７】
本発明の一実施形態による情報提供方法は、ユーザの識別情報を入力される段階と、ユーザの識別情報に対応する視聴履歴情報、及びユーザの識別情報に対応する録画情報のうち少なくとも一つを、第２領域にディスプレイする段階と、をさらに含んでもよい。
【００１８】
本発明の一実施形態による情報提供方法は、視聴履歴情報及び録画情報のうち、少なくとも一つをカレンダーにマッピングしてディスプレイする段階を含んでもよい。
【００１９】
本発明の一実施形態による視聴履歴情報は、外部デバイスで視聴されたコンテンツに係わる情報を含んでもよい。
【００２０】
本発明の一実施形態による情報提供方法は、視聴履歴情報及び録画情報のうち、少なくとも一つを基に、推薦コンテンツを決定する段階と、第１領域にディスプレイされた放送番組情報のうち、推薦コンテンツに対応する放送番組情報に、識別表示を行う段階と、を含んでもよい。
【００２１】
本発明の一実施形態による情報提供方法は、ディスプレイ装置のユーザと関連性のある他のユーザの視聴履歴情報及び録画情報のうち、少なくとも一つをさらに考慮し、推薦コンテンツを決定する段階を含んでもよい。
【００２２】
本発明の一実施形態による情報提供方法は、視聴履歴情報及び録画情報のうち、少なくとも一つを基に、少なくとも１つの放送コンテンツを自動的に録画する段階をさらに含んでもよい。
【００２３】
本発明の一実施形態による情報提供方法は、推薦コンテンツに係わる放送アラーム情報を、ディスプレイ装置の画面にディスプレイしたり、あるいは外部デバイスに送信する段階をさらに含んでもよい。
【００２４】
本発明の一実施形態による情報提供方法は、第２領域にディスプレイされた視聴履歴情報及び録画情報のうち、少なくとも一つに含まれたコンテンツに係わる選択を受信する段階と、選択されたコンテンツに対応する付加情報を画面にディスプレイする段階と、をさらに含んでもよい。
【００２５】
本発明の一実施形態による情報提供方法は、選択されたコンテンツがシリーズ物である場合、中間で視聴していない回の分（episode）に係わる情報、及び次に視聴する回の分に係わる情報のうち少なくとも一つを、画面にディスプレイする段階を含んでもよい。
【００２６】
本発明の一実施形態によるディスプレイ装置は、少なくとも１つの放送番組情報を受信する放送番組情報管理部と、所定時点以前に視聴されたコンテンツに係わる視聴履歴情報、及び所定時点以前に録画されたコンテンツに係わる録画情報のうち少なくとも一つを獲得するヒストリー管理部と、受信された少なくとも１つの放送番組情報のうち、所定時点に対応する放送番組情報を、所定時点を基に、第１領域にディスプレイし、視聴履歴情報及び録画情報のうち少なくとも一つを、所定時点を基に、第２領域にディスプレイするディスプレイ部と、放送番組情報管理部、上記ヒストリー管理部及び上記ディスプレイ部を制御する制御部と、を含んでもよい。
【００２７】
本発明の一実施形態によるディスプレイ装置のディスプレイ部は、所定時点に対応する放送番組情報を、所定時点に対応する位置で、第１方向への第１領域にディスプレイし、視聴履歴情報及び録画情報のうち少なくとも一つを、所定時点に対応する位置で、第２方向への第２領域にディスプレイすることができる。
【００２８】
本発明の一実施形態によるディスプレイ部は、所定時点に対応する放送番組情報を、所定時間間隔で第１領域に配列することができる。
【００２９】
本発明の一実施形態による制御部は、所定時点以前に視聴されたコンテンツ、及び所定時点以前に録画されたコンテンツのうち、少なくとも一つに係わるメタデータを抽出し、本発明の一実施形態によるディスプレイ部は、抽出されたメタデータを基に、視聴履歴情報及び録画情報のうち少なくとも一つを、所定時間間隔で第２領域に配列することができる。
【００３０】
本発明の一実施形態による制御部は、経過時間情報に基づいて、第２領域の所定時間間隔を調節することができる。
【００３１】
本発明の一実施形態によるディスプレイ部は、視聴履歴情報及び録画情報のうち少なくとも一つを、第２領域に格子で配列することができる。
【００３２】
本発明の一実施形態による制御部は、ユーザ入力に基づいて、所定時点を変更し、本発明の一実施形態によるディスプレイ部は、変更された時点以前に視聴されたコンテンツに係わる視聴履歴情報、及び変更された時点以前に録画されたコンテンツに係わる録画情報のうち、少なくとも一つを、第２領域にディスプレイすることができる。
【００３３】
本発明の一実施形態によるディスプレイ装置は、ユーザから検索語を入力されるユーザ入力部をさらに含み、本発明の一実施形態によるディスプレイ部は、検索語に対応する視聴履歴情報、及び検索語に対応する録画情報のうち少なくとも一つを、第２領域にディスプレイすることができる。
【００３４】
本発明の一実施形態によるユーザ入力部は、少なくとも１つのカテゴリーに係わる選択を、ユーザから受信することができる。
【００３５】
本発明の一実施形態によるディスプレイ装置は、ユーザの識別情報を入力されるユーザ入力部をさらに含み、本発明の一実施形態によるディスプレイ部は、ユーザの識別情報に対応する視聴履歴情報、及びユーザの識別情報に対応する録画情報のうち少なくとも一つを、第２領域にディスプレイすることができる。
【００３６】
本発明の一実施形態によるディスプレイ部は、視聴履歴情報及び録画情報のうち、少なくとも一つをカレンダーにマッピングしてディスプレイすることができる。
【００３７】
本発明の一実施形態によるディスプレイ装置は、視聴履歴情報及び録画情報のうち、少なくとも一つを基に、推薦コンテンツを決定する推薦部をさらに含み、本発明の一実施形態によるディスプレイ部は、第１領域にディスプレイされた放送番組情報のうち、推薦コンテンツに対応する放送番組情報に、識別表示を行うことができる。
【００３８】
本発明の一実施形態による推薦部は、ディスプレイ装置のユーザと関連性のある他のユーザの視聴履歴情報及び録画情報のうち、少なくとも一つをさらに考慮し、推薦コンテンツを決定することができる。
【００３９】
本発明の一実施形態による制御部は、視聴履歴情報及び録画情報のうち、少なくとも一つを基に、少なくとも１つの放送コンテンツを自動的に録画することができる。
【００４０】
本発明の一実施形態によるディスプレイ装置は、推薦コンテンツに係わる放送アラーム情報を、ディスプレイ装置の画面にディスプレイしたり、あるいは外部デバイスに送信するアラーム部をさらに含んでもよい。
【００４１】
本発明の一実施形態によるディスプレイ装置は、第２領域にディスプレイされた視聴履歴情報及び録画情報のうち、少なくとも一つに含まれたコンテンツに係わる選択を受信するユーザ入力部をさらに含み、本発明の一実施形態によるディスプレイ部は、選択されたコンテンツに対応する付加情報を画面にディスプレイすることができる。
【００４２】
本発明の一実施形態によるディスプレイ部は、選択されたコンテンツがシリーズ物である場合、中間で視聴していない回の分に係わる情報、及び次に視聴する回の分に係わる情報のうち少なくとも一つを、画面にディスプレイすることができる。
【発明の効果】
【００４３】
本発明の一実施形態によれば、ユーザは、ディスプレイ装置を介して、放送番組情報以外に、視聴履歴情報及び録画情報を簡単に確認することができる。また、本発明の一実施形態によれば、ユーザは、ディスプレイ装置に表示された視聴履歴情報及び録画情報を利用して、好んで視聴するコンテンツに係わる視聴予約または録画予約を簡便に行うことが可能であり、すでに視聴したか、あるいは録画されたコンテンツを容易に再生して視聴することができる。
【図面の簡単な説明】
【００４４】
【図１】本発明の一実施形態による情報提供システムを示す図である。
【図２】本発明の一実施形態に係わるディスプレイ装置の情報提供方法について説明するためのフローチャートである。
【図３】本発明の一実施形態に係わるディスプレイ装置の情報提供方法を細分化したフローチャートである。
【図４】本発明の一実施形態に係わるディスプレイ装置の情報提供画面を示す図である。
【図５】本発明の他の実施形態に係わるディスプレイ装置の情報提供画面を示す図である。
【図６Ａ】本発明の一実施形態に係わる放送番組情報提供画面を示す図である。
【図６Ｂ】本発明の一実施形態に係わる放送番組情報提供画面を示す図である。
【図６Ｃ】本発明の一実施形態に係わる放送番組情報提供画面を示す図である。
【図７Ａ】本発明の一実施形態に係わる視聴履歴情報及び録画情報のうち、少なくとも一つを提供する画面を示す図である。
【図７Ｂ】本発明の一実施形態に係わる視聴履歴情報及び録画情報のうち、少なくとも一つを提供する画面を示す図である。
【図８】本発明の一実施形態に係わる検索語（カテゴリー）に基づいた情報提供方法を示すフローチャートである。
【図９】本発明の一実施形態に係わる検索語入力（カテゴリー選択）画面を示す図である。
【図１０】本発明の一実施形態に係わるコンテンツ推薦方法について説明するためのフローチャートである。
【図１１】本発明の一実施形態に係わる推薦コンテンツを表示する画面を示す図である。
【図１２】本発明の一実施形態に係わる放送アラーム情報を表示する画面を示す図である。
【図１３】本発明の一実施形態に係わる放送アラーム情報を外部デバイスに提供する画面を示す図である。
【図１４Ａ】本発明の一実施形態に係わる視聴履歴情報及び録画情報のうち、少なくとも一つをカレンダーにマッピングして提供する画面を示す図である。
【図１４Ｂ】本発明の一実施形態に係わる視聴履歴情報及び録画情報のうち、少なくとも一つをカレンダーにマッピングして提供する画面を示す図である。
【図１５Ａ】本発明の一実施形態に係わるシリーズ物の視聴履歴情報を提供する画面を示す図である。
【図１５Ｂ】本発明の一実施形態に係わるシリーズ物の視聴履歴情報を提供する画面を示す図である。
【図１６Ａ】本発明の他の実施形態に係わるシリーズ物の視聴履歴情報を提供する画面を示す図である。
【図１６Ｂ】本発明の他の実施形態に係わるシリーズ物の視聴履歴情報を提供する画面を示す図である。
【図１７】本発明の一実施形態に係わるディスプレイ装置のブロック構成図である。
【図１８】本発明の他の実施形態に係わるディスプレイ装置のブロック構成図である。
【発明を実施するための形態】
【００４５】
本明細書で使用される用語について簡略的に説明し、本発明について具体的に説明する。
【００４６】
本発明で使用される用語は、本発明での機能を考慮しながら、できる限り現在汎用されている一般的な用語を選択したが、それは、当分野に携わる技術者の意図、判例または新技術の出現などによって異なることがある。また、特定の場合には出願人が任意に選定した用語もあり、その場合、該当する発明の説明部分で、詳細にその意味を記載する。従って、本発明で使用される用語は、単純な用語の名称ではなく、その用語が有する意味と、本発明の全般にわたった内容とを基に定義されなければならない。
【００４７】
明細書全体で、ある部分がある構成要素を「含む」とするとき、それは、特別にそれと相反する記載がない限り、他の構成要素を除くものではなく、他の構成要素をさらに含んでもよいということを意味する。また、明細書に記載された「…部」、「モジュール」のような用語は、少なくとも１つの機能や動作を処理する単位を意味し、それは、ハードウェアまたはソフトウェアで具現されるか、あるいはハードウェアとソフトウェアとの結合によって具現されてもよい。
【００４８】
以下、添付した図面を参考にしつつ、本発明の実施形態について、本発明が属する技術分野で当業者が容易に実施することができるように詳細に説明する。しかし、本発明は、さまざまに異なった形態に具現されもし、ここで説明する実施形態に限定されるものではない。そして、図面で本発明について明確に説明するために、説明と関係ない部分は省略し、明細書全体を通じて類似した部分については、類似の図面符号を付けた。
【００４９】
図１は、本発明の一実施形態による情報提供システムを示す図である。図１に図示されたように、本発明の一実施形態による情報提供システムは、ディスプレイ装置１００、放送管理サーバ２００、外部デバイス３００を含んでもよい。
【００５０】
ディスプレイ装置１００は、ディスプレイパネルを含む多種のデバイスを意味する。例えば、本明細書で記述されるディスプレイ装置１００には、スマートＴＶ（television）、ＩＰＴＶ（internet protocol television）、ＤＴＶ（digital television）、コンピュータ、ノート型パソコン、電子書籍端末機、タブレットＰＣ（personal computer）、デジタル放送用端末機、ＰＤＡ（personal digital assistants）、ＰＭＰ（portable multimedia player）、ナビゲーション、ＣＥ（consumer electronics）機器（例えば、ディスプレイパネルを有する冷蔵庫、エアコンなど）などがあるが、それらに限定されるものではない。
【００５１】
本発明の一実施形態によるディスプレイ装置１００は、放送番組情報を画面に表示することができる。本発明の一実施形態による放送番組情報は、視聴者のチャンネル選択便宜のために、事業者が提供する放送コンテンツに係わる情報を意味する。
【００５２】
例えば、放送番組情報には、放送番組名、チャンネル名、放送時間（開始時間、終了時間、持続時間）、等級、プログラム種類、代表イメージ、詳細情報（例えば、出演陣、監督、制作者、再放送情報、筋書、プレビュー、事前聞き（prelisten））などが含まれる。
【００５３】
一方、本発明の一実施形態による放送番組情報は、多様な形態で存在することができる。例えば、ＤＭＢ（digital multimedia broadcasting）のＥＰＧ（electronic program guide）、またはＤＶＢ−Ｈ（digital video broadcast-handheld）のＥＳＧ（electronic service guide）などの形態で存在することもできる。
【００５４】
放送番組情報（例えば、ＥＰＧ情報）は、ユーザの地域や放送の種類（例えば、地上波、有線、ケーブル、通信用衛星（ＣＳ：communication satellite）、放送用衛星（ＢＳ：broadcasting satellite）など）によって異なる。
【００５５】
本発明の一実施形態によるディスプレイ装置１００は、多種のコンテンツを再生することができる。例えば、ディスプレイ装置１００は、動画コンテンツ（例えば、ＴＶ番組映像、ＶＯＤ（video on demand）、個人映像（ＵＣＣ：user-created contents）、ミュージックビデオ、ユーチューブ映像など）、静止映像コンテンツ（例えば、写真、絵など）、テキストコンテンツ（例えば、電子本（詩、小説）、手紙、業務ファイル、ウェブページなど）、音楽コンテンツ（例えば、音楽、演奏曲、ラジオ放送など）、アプリケーション（ウィジェット、ゲーム、画像通話など）などを再生することができる。
【００５６】
一方、本発明の一実施形態によるディスプレイ装置１００は、ネットワークを介して、放送管理サーバ２００、外部デバイス３００などと通信が可能である。本発明の一実施形態によるネットワークは、Ｗｉ−Ｆｉ(wireless fidelity)、ホームＲＦ(radio frequency)、ブルートゥース、ＨＲＷＰＡＮ（high rate-wireless personal area network）、ＵＷＢ（ultra-wide band）、ＬＲＷＰＡＮ（low rate-wireless personal area network）、ＩＥＥＥ（Institute of Electrical and Electronics Engineers） １３９４のような無線通信技術で具現され、放送管理サーバ２００にアクセスしたり、あるいは各機器間のデータ伝送経路を提供することができる。放送管理サーバ２００は、放送信号及び／または放送関連情報を生成して送信するサーバ、または既生成の放送信号及び／または放送関連情報を提供され、ディスプレイ装置１０に送信するサーバを意味する。上記放送関連情報は、放送チャンネル、放送番組または放送サービス提供者に係わる情報を意味することができる。
【００５７】
放送信号は、ＴＶ放送信号、ラジオ放送信号、データ放送信号を含むだけではなく、ＴＶ放送信号またはラジオ放送信号に、データ放送信号が結合した形態の放送信号も含んでもよい。すなわち、ディスプレイ装置１００は、放送番組情報のみを別途の信号で受信することもでき、放送コンテンツと放送番組情報とが結合された形態の放送信号を受信した後、放送信号から放送番組情報を抽出することもできる。
【００５８】
本発明の一実施形態によれば、放送管理サーバ２００は、放送コンテンツ及び放送番組情報を提供する放送局サーバでもある。本発明の他の実施形態によれば、放送管理サーバ２００は、放送コンテンツは提供せず、放送番組情報のみを別途に提供するサーバでもある。
【００５９】
外部デバイス３００は、ディスプレイ装置１００の周辺機器またはユーザ端末でもある。周辺機器には、ＳＴＢ（set-top box）、ＢＤＰ（blue-ray disc player）、ＤＶＤＰ（digital versatile disc player）、ＶＣＲ（video cassette recorder）、ＰＣ、ＮＡＳ（network attached storage）などがある。また、ユーザ端末には、携帯電話、スマートフォン（smart phone）、ノート型パソコン（laptop computer）、タブレットＰＣ、電子書籍端末機、ＰＤＡ（personal digital assistants）、ＰＭＰ（portable multimedia player）、ナビゲーション、デジタルカメラなどがある。
【００６０】
以下では、ディスプレイ装置１００がユーザに情報を提供する方法について、図２を参照して詳細に説明する。
【００６１】
図２は、本発明の一実施形態に係わるディスプレイ装置の情報提供方法について説明するためのフローチャートである。図２を参照すれば、本発明の一実施形態によるディスプレイ装置１００の情報提供方法は、後述する図１７及び図１８に図示されたディスプレイ装置１００で、時系列的に処理される段階で構成される。従って、以下で省略された内容であるとしても、図１７及び図１８に図示されたディスプレイ装置１００について記述された内容は、図２の情報提供方法にも適用されるということが分かる。
【００６２】
本発明の一実施形態によるディスプレイ装置１００は、少なくとも１つの放送番組情報を受信することができる（Ｓ２１０）。本発明の一実施形態による放送番組情報は、現在（または所定時点）放送されているか、あるいは将来（または所定時点後）に放送されるコンテンツに係わる情報を意味する。例えば、上記で説明したように、放送番組情報には、放送番組名、チャンネル名、放送時間（開始時間、終了時間、持続時間）、等級、プログラムイメージなどが含まれてもよい。
【００６３】
本発明の一実施形態によるディスプレイ装置１００は、所定周期で、少なくとも１つの放送番組情報をサーバ２００から受信することもでき、サーバ２００に放送番組情報を要求して受信することもできる。
【００６４】
一方、本発明の一実施形態によるディスプレイ装置１００は、視聴履歴情報及び録画情報のうち、少なくとも一つを獲得することができる（Ｓ２２０）。視聴履歴情報とは、所定時点以前に、ユーザによって、所定時間以上視聴されたコンテンツに係わる情報を意味する。例えば、所定時点（または現在）が、２０１２．２．３．午後５時である場合、２０１２．２．３．午後５時以前に所定時間以上（例えば、５分以上）視聴されたコンテンツに係わる情報が、視聴履歴情報に含まれてもよいのである。
【００６５】
本発明の一実施形態による所定時点は、ユーザによって任意に設定される時点でもあり、ディスプレイ装置１００によって、設定される時点でもある。所定時点は、現在時点でもあり、過去または将来の時点でもある。
【００６６】
例えば、ディスプレイ装置１００は、ユーザが任意の時点を設定しない場合、現在時点を基準に、視聴履歴情報（または録画情報）を獲得することができる。その場合、所定時点は、ディスプレイ装置１００によって現在時点と自動設定されるのである。
【００６７】
また、所定時点が、ユーザによって設定された本日以前の時点（例えば、昨日午後５時）である場合、昨日午後５時まで、ユーザによって視聴されたコンテンツに係わる情報が、視聴履歴情報として獲得されてもよい。従って、本日視聴したコンテンツであるとしても、視聴履歴情報としてディスプレイ装置１００に表示されないこともある。
【００６８】
一方、本発明の一実施形態によれば、視聴履歴情報に保存されるための所定視聴（再生）時間（例えば、５分以上視聴）も、ユーザによって任意に設定された時間でもあり、ディスプレイ装置１００によって自動的に設定された時間でもある。例えば、ユーザは、５分以上視聴したコンテンツを、視聴履歴情報として保存するように設定することもでき、３０分以上視聴したコンテンツを、視聴履歴情報として保存するように設定することもできるのである。本発明の一実施形態による視聴履歴情報には、視聴されたコンテンツの名称、放映されたチャンネル名、放送された時間、全視聴時間、等級、ジャンル、視聴されたコンテンツのイメージ、アイコンなどが含まれる。また、本発明の一実施形態による視聴履歴情報には、外部デバイス３００で視聴されたコンテンツに係わる情報も含まれてもよい。例えば、ユーザが、ナビゲーションまたは移動端末で、ＤＭＢを介して視聴した放送コンテンツに係わる情報も、視聴履歴情報に収集される。
【００６９】
すなわち、本発明の一実施形態によれば、ディスプレイ装置１００は、外部デバイス３００で視聴されたコンテンツに係わる視聴履歴情報を、外部デバイス３００から受信することができるのである。そのとき、本発明の一実施形態によるディスプレイ装置１００は、近距離通信を介して、外部デバイス３００から直接視聴履歴情報を受信することができる。
【００７０】
例えば、ユーザが、移動端末を介して、外部でＤＭＢを視聴していて、宅内に移動端末を持って入って来る場合、ディスプレイ装置１００は、所定半径（近距離通信可能距離）内に存在する移動端末を感知することができる。そして、ディスプレイ装置１００は、移動端末と通信リンクを形成し、近距離通信を介して、視聴履歴情報を移動端末から獲得することができるのである。
【００７１】
近距離通信技術で、ブルートゥース、ジグビー、ＷＦＤ（Ｗｉ−Ｆｉ direct）、ＵＷＢ（ultra wideband）、赤外線通信（ＩｒＤＡ：infrared data association）などがあるが、それらに限定されるものではない。
【００７２】
本発明の他の実施形態によれば、ディスプレイ装置１００は、サーバを介して、外部デバイス３００で視聴されたコンテンツに係わる視聴履歴情報を獲得することもできる。例えば、ディスプレイ装置１００は、外部デバイス３００の視聴履歴情報を管理する外部サーバから、外部デバイス３００で視聴されたコンテンツに係わる視聴履歴情報を収集することができるのである。
【００７３】
また、ユーザが移動端末を介して、外部でＤＭＢを視聴していて、宅内に移動端末を持って入って来る場合、移動端末は、ホームゲートウェイと自動的に連動されもし、そのとき、ディスプレイ装置１００は、ホームゲートウェイを介して、外部デバイス３００で視聴されたコンテンツに係わる視聴履歴情報を受信することができる。本発明の一実施形態によるホームゲートウェイは、ＡＰ（access point）を含んでもよい。
【００７４】
本発明の一実施形態による録画情報とは、所定時点以前に録画されたコンテンツに係わる情報を意味する。本発明の一実施形態による録画されたコンテンツは、視聴の中に録画されたコンテンツ及び予約録画されたコンテンツのうち、少なくとも一つを含んでもよい。本発明の一実施形態による録画情報には、録画されたコンテンツの名称、放映されたチャンネル名、録画された時点、全放送時間、等級、ジャンル、録画されたコンテンツのイメージなどが含まれてもよい。
【００７５】
本発明の一実施形態によれば、ディスプレイ装置１００は、少なくとも１つの放送番組情報のうち、所定時点に対応する放送番組情報を、所定時点を基に、第１領域にディスプレイし、視聴履歴情報及び録画情報のうち少なくとも一つを、所定時点を基に、第２領域にディスプレイすることができる（Ｓ２３０）。
【００７６】
例えば、ディスプレイ装置１００は、タイムテーブルの形態で、所定時点に対応する放送番組情報を、所定時点に対応する位置で、第１方向への第１領域にディスプレイし、視聴履歴情報及び録画情報のうち少なくとも一つを、所定時点に対応する位置で、第２方向への第２領域にディスプレイすることができるのである。
【００７７】
本発明の一実施形態による所定時点に対応する位置は、所定時点に対応する仮想の時間軸または領域を意味することができる。すなわち、本発明の一実施形態によれば、所定時点に対応する仮想の時間軸を基準に、放送番組情報が表示される第１領域と、視聴履歴情報及び録画情報が表示される第２領域とに分けられる。
【００７８】
本発明の一実施形態によれば、所定時点に対応する位置（例えば、仮想の時間軸）は、ディスプレイ装置１００の画面に表示されもし、表示されないこともある。また、所定時点に対応する仮想の時間軸は、横軸でもあり、縦軸でもある。すなわち、第１方向が右側（または左側）であり、第２方向が左側（または右側）である場合、所定時点に対応する仮想の時間軸は、縦軸であってもよく、第１方向が上側方向（または下側方向）であり、第２方向が下側方向（または上側方向）である場合、所定時点に対応する仮想の時間軸は、横軸であってもよい。
【００７９】
本発明の一実施形態によれば、所定時点に対応する位置（例えば、仮想の時間軸）を基準に、右側領域に、放送番組情報が表示され、左側領域に、視聴履歴情報及び／または録画情報が表示されてもよい。例えば、所定時点が午前８時である場合、午前８時に該当する仮想の時間軸を境界に、右側領域に午前８時に放送中であるか、午前８時以降に放送される放送番組情報がディスプレイされ、左側領域に、午前８時以前に視聴されたコンテンツ、または午前８時以前に録画されたコンテンツに係わる情報がディスプレイされるのである。
【００８０】
一方、ディスプレイ装置１００は、所定時点（例えば、現在時点）に該当する時間軸を基準に、左側領域に、現在放送中であるか、あるいは将来に放送されるコンテンツに係わる放送番組情報をディスプレイし、右側領域に、過去に視聴されたか、あるいは録画された視聴履歴情報または録画情報をディスプレイすることができるといことは言うまでもない。
【００８１】
また、ディスプレイ装置１００は、所定時点（例えば、現在時点）に該当する時間軸を基準に、上側方向（または下側方向）に、現在放送中であるか、あるいは将来に放送されるコンテンツに係わる放送番組情報をディスプレイし、下側方向（または上側方向）に、過去に視聴されるか、あるいは録画された視聴履歴情報または録画情報をディスプレイすることもできる。
【００８２】
そのとき、本発明の一実施形態によれば、放送番組情報が表示される第１領域と、視聴履歴情報及び／または録画情報が表示される第２領域は、１枚のページ上に示され、他のペイ地上に示されもする。
【００８３】
本発明の一実施形態によれば、ディスプレイ装置１００は、所定時点に対応する放送番組情報を、所定時間間隔で配列することもできる。例えば、所定時点が、２０１２．２．１５．午後５時である場合、ディスプレイ装置１００は、２０１２．２．１５．午後５時に放送されている１００個の放送コンテンツに係わる放送番組情報、及び２０１２．２．１５．午後５時以降に放送される１，０００個の放送コンテンツに係わる放送番組情報を獲得することができる。その場合、ディスプレイ装置１００は、１，１００個の放送番組情報を３０分単位に分けてディスプレイすることができるのである。
【００８４】
本発明の一実施形態によれば、ディスプレイ装置１００は、過去に視聴されたコンテンツに係わる情報、及び録画されたコンテンツに係わる情報も、所定時間間隔でディスプレイすることができる。例えば、ディスプレイ装置１００は、所定時点以前に視聴されるか、あるいは録画されたコンテンツに係わるメタデータを抽出することができる。そして、抽出されたメタデータを基に、ディスプレイ装置１００は、視聴履歴情報及び録画情報のうち少なくとも一つを、所定時間間隔で、第２領域に配列することができる。本発明の一実施形態によるメタデータには、放送時間情報、録画時間情報などが含まれている。
【００８５】
本発明の一実施形態による所定時間間隔は、経過時間情報に基づいて調節されてもよい。すなわち、３ヵ月前から現在まで視聴されるか、あるいは録画されたコンテンツの場合、１週間単位で配列され、１年前から３ヵ月前まで視聴されるか、あるいは録画されたコンテンツの場合、半月単位で配列され、３年前から１年前まで視聴されるか、あるいは録画されたコンテンツの場合、一ヵ月単位で配列され、過去３年以前に視聴されるか、あるいは録画されたコンテンツの場合、１年単位で配列されてもよいのである。
【００８６】
本発明の一実施形態によれば、ディスプレイ装置１００は、所定時点に対応する放送番組情報、所定時点以前に視聴された視聴履歴情報、及び所定時点以前に録画された録画情報のうち少なくとも一つを格子で配列することもできる。
【００８７】
図３は、本発明の一実施形態に係わるディスプレイ装置の情報提供方法を細分化したフローチャートである。図２と説明が重複する部分は省略する。
【００８８】
図３に図示されたように、段階３１０で、ディスプレイ装置１００は、放送管理サーバ２００から少なくとも一つ以上の放送番組に係わる放送番組情報を受信することができる。放送番組情報は、現在から将来の所定時点まで放送される少なくとも一つ以上の放送番組に係わる情報を含んでもよい。
【００８９】
段階３２０で、ディスプレイ装置１００は、受信された放送番組情報をメモリに保存することができる。保存された放送番組情報は、所定周期で更新されてもよい。
【００９０】
段階３３０で、ディスプレイ装置１００は、時点を設定することができる。本発明の一実施形態によれば、ディスプレイ装置１００は、ユーザ入力に基づいて時点を設定することができる。すなわち、ユーザは、所望時点をディスプレイ装置１００に入力することができるのである。本発明の他の実施形態によれば、ディスプレイ装置１００は、時点を現在時点に自動設定することもできる。
【００９１】
段階３４０で、ディスプレイ装置１００は、上記設定された時点（所定時点）に対応する放送番組情報を抽出することができる。所定時点に対応する放送番組情報は、所定時点に放送中であるか、あるいは所定時点後に放送されるコンテンツに係わる情報を意味する。所定時点に対応する放送番組情報には、放送番組名、チャンネル名、放送時間（開始時間、終了時間、持続時間）、等級、プログラムイメージなどが含まれてもよい。
【００９２】
段階３５０で、ディスプレイ装置１００は、所定時点以前に視聴されたコンテンツに係わる視聴履歴情報を、メモリまたはクラウドサーバから抽出することができる。また、段階３６０で、ディスプレイ装置１００は、所定時点以前に録画されたコンテンツに係わる録画情報を、メモリまたはクラウドサーバから抽出することもできる。
【００９３】
段階３７０で、ディスプレイ装置１００は、所定時点に基づいて、上記抽出された所定時点に対応する放送番組情報を、第１領域にディスプレイし、上記抽出された視聴履歴情報及び／または上記抽出された録画情報を、第２領域にディスプレイすることができる。
【００９４】
一方、本発明の一実施形態によれば、ディスプレイ装置１００は、ユーザ入力に基づいて、段階３３０で設定された時点、すなわち、所定時点を変更することもできる。その場合、ディスプレイ装置１００は、変更された時点以前に視聴されたコンテンツに係わる視聴履歴情報、及び変更された時点以前に録画されたコンテンツに係わる録画情報のうち、少なくとも一つを、メモリまたはクラウドサーバから抽出し、第２領域にディスプレイすることができる。
【００９５】
本発明の一実施形態によれば、ディスプレイ装置１００は、ユーザ別に視聴履歴情報及び／または録画情報を提供することもできる。すなわち、ユーザの識別情報が入力された場合、ディスプレイ装置１００は、ユーザの識別情報に対応する視聴履歴情報及び／または録画情報を、第２領域に表示することができるのである。
【００９６】
本発明の一実施形態によるユーザの識別情報は、ユーザＩＤ（identification）、ニックネーム、電話番号などが含まれてもよく、ユーザが移動端末を遠隔制御装置で利用する場合、ユーザの識別情報には、移動端末のデバイスＩＤ、固有一連番号、ＭＡＣ（medium access control）アドレス、国際モバイル機器識別コード（ＩＭＥＩ：international mobile equipment identity）などがさらに含まれてもよい。
【００９７】
例えば、ＡＡＡが自分のＩＤでログインする場合、ディスプレイ装置１００は、ＡＡＡが、所定時点以前に視聴したコンテンツに係わるＡＡＡの視聴履歴情報、及び／またはＡＡＡが所定時点以前に録画したコンテンツに係わるＡＡＡの録画情報を、第２領域に表示することができるのである。
【００９８】
図４ないし図７を参照して、ディスプレイ装置の情報提供方法についてさらに詳細に説明する。
【００９９】
図４は、本発明の一実施形態に係わるディスプレイ装置の情報提供画面を示す図である。
【０１００】
本発明の一実施形態によれば、ユーザは、放送番組情報または視聴履歴情報（録画情報）を確認しようとする任意の時点を設定することができる。例えば、現在が午後１時であると仮定する。現在の放送番組情報を確認したい場合、ユーザは、時間軸を午後１時に設定することができる。もしユーザが午前１０時以前に視聴したコンテンツのリストを確認したい場合、ユーザは、時間軸を午前１０時に設定することもできる。また、ユーザが、午後８時以降の放送番組情報を確認しようとする場合、時間軸を午後８時に設定することもできる。
【０１０１】
一方、本発明の一実施形態によれば、ユーザが任意の時点を設定しない場合、ディスプレイ装置１００は、時間軸を自動的に現在時点に設定することもできる。以下では、説明の便宜上、時間軸が現在時点にある場合を仮定して説明する。
【０１０２】
図４に図示されたように、現在が１２月２５日午後８時である場合、ディスプレイ装置１００は、午後８時現在放送されているコンテンツに係わる放送番組情報、午後８時以前に視聴されたコンテンツに係わる視聴履歴情報、午後８時以前に録画されたコンテンツに係わる録画情報を獲得することができる。
【０１０３】
放送番組情報、視聴履歴情報、録画情報は、ディスプレイ装置１００の保存部に既に保存されており、外部サーバまたは外部デバイス３００からリアルタイムで受信することもできる。
【０１０４】
本発明の一実施形態によれば、ディスプレイ装置１００は、午後８時（現在）に対応する時間軸４３０を基準に、右側の第１領域４１０には、現在（午後８時）放送されているコンテンツに係わる放送番組情報、及び将来（午後８時以降）に放送されるコンテンツに係わる放送番組情報をディスプレイし、左側の第２領域４２０には、過去（午後８時以前）に視聴されたコンテンツに係わる視聴履歴情報及び／または過去（午後８時以前）に録画されたコンテンツに係わる録画情報をディスプレイすることができる。
【０１０５】
本発明の一実施形態によれば、ディスプレイ装置１００は、放送番組情報、視聴履歴情報、録画情報をアイコン形態で簡単に表現することができる。アイコンは、プログラムイメージ（program image）、チャンネル名及びプログラム名のうち少なくとも一つを含むＧＵＩ（graphical user interface）でもある。
【０１０６】
また、ディスプレイ装置１００は、視聴履歴情報と録画情報とを、グラフィック効果を介して、区別して表示することができる。例えば、視聴されたコンテンツには、「視聴（watched）」というアイコンをさらに表示し、録画されたコンテンツのイメージには、「録画（recoded）」というアイコンをさらに表示することができる。
【０１０７】
従って、本発明の一実施形態によれば、ユーザは、所定時点（現在時点）に対応する放送番組情報（例えば、ＥＰＧ）と共に、所定時点以前（過去）に視聴したコンテンツに係わる視聴履歴情報、及び録画されたコンテンツに係わる録画情報を簡便に確認することができる。
【０１０８】
一方、本発明の一実施形態によれば、ユーザがディスプレイされた視聴履歴情報に含まれた特定コンテンツを選択する場合、ディスプレイ装置１００は、ユーザが選択した特定コンテンツにすぐにアクセスして再生することができる。すなわち、ユーザは、本発明の一実施形態による視聴履歴情報を利用して、以前に視聴したコンテンツを容易に再視聴できるのである。
【０１０９】
また、本発明の一実施形態によれば、ユーザがディスプレイされた録画情報に含まれた特定コンテンツを選択する場合、ディスプレイ装置１００は、録画された特定コンテンツにすぐアクセスして再生することができる。すなわち、ユーザは、本発明の一実施形態による録画情報を利用して、録画されたコンテンツを容易に視聴することができるのである。
【０１１０】
図５は、本発明の他の実施形態に係わるディスプレイ装置の情報提供画面を示す図である。
【０１１１】
本発明の一実施形態によれば、所定時点に対応する仮想の時間軸が、画面の中間に位置する場合（図４参照）、１つの画面に、第１領域と第２領域が共に示されるが、所定時点に対応する仮想の時間軸が、左側端または右側端に位置する場合（図５参照）、第１領域及び第２領域のうち一つだけ画面に先に表示されもする。
【０１１２】
例えば、図５に図示されたように、現在以後の放送番組情報が表示される第１領域５１０と、過去に視聴されたコンテンツに係わる視聴履歴情報、及び／または過去に録画されたコンテンツに係わる録画情報が表示される第２領域５２０とが１枚のページ上に示されないこともある。
【０１１３】
すなわち、ディスプレイ装置１００は、現在以後の放送番組情報を先に現在ページに表示し、視聴履歴情報及び／または録画情報は、以前ページまたは以後ページに表示することができる。
【０１１４】
図６Ａ〜図６Ｃは、本発明の一実施形態に係わる放送番組情報提供画面を示す図である。
【０１１５】
所定時点（例えば、現在時点）に対応する放送番組情報が多い場合、ディスプレイ装置１００は、１つの画面に、放送番組情報をいずれも表示し難いことがある。その場合、ディスプレイ装置１００は、第１方向への第１領域に、所定時間間隔で、放送番組情報をディスプレイすることができる。説明の便宜上、第１方向が右側である場合を仮定する。すなわち、ディスプレイ装置１００は、現在時点に対応する時間軸を基準に、右側領域に、所定時間単位で放送番組情報をディスプレイすることができる。
【０１１６】
図６Ａに図示されたように、現在が８時である場合、ディスプレイ装置１００は、８時現在放送されているプログラム情報、及び８時以降に放送される放送番組情報を３０分単位でディスプレイすることができる。すなわち、ディスプレイ装置１００は、８時から８時３０分の間に始まる放送コンテンツに係わる放送番組情報を、第１ブロックで形成して表示し、８時３０分から９時の間に始まる放送コンテンツに係わる放送番組情報を、第２ブロックで形成して表示し、９時から９時３０分の間に始まる放送コンテンツに係わる放送番組情報を、第３ブロックで形成し、ディスプレイすることができる。そのとき、本発明の一実施形態によれば、各ブロック案に表示される放送番組情報は、チャンネル別にディスプレイされる。
【０１１７】
一方、図６Ｂに図示されたように、ユーザは、選択領域（例えば、カーソル、ポインタ）を右側に移動させ、次の時間、ブロックの放送番組情報を確認することができる。
【０１１８】
選択領域が移動していて、第１ブロック（８：００ｐｍ）から第２ブロック（８：３０ｐｍ）に移る場合、ディスプレイ装置１００は、第２ブロックに該当する時間情報（８：３０ｐｍ）を画面に表示することができる。また、選択領域が、第１ブロックから第２ブロックに移る場合、ディスプレイ装置１００は、第２ブロックの最初の放送番組情報が、画面の最左側の最上端へ来るように配置することもできる。
【０１１９】
図６Ｃに図示されたように、ユーザは、再び選択領域を左側に移動させ、以前の時間ブロックの放送番組情報を確認することもできる。そのとき、ユーザが、選択領域を現在時間軸より左に移動させる場合、視聴履歴情報及び録画情報が表示される。これについては、図７Ａ及び図７Ｂを参照して後述する。
【０１２０】
本発明の一実施形態によれば、ディスプレイ装置１００は、選択領域が位置する放送番組情報に係わる付加情報を、画面の第３領域６１０（図６Ａ）にディスプレイすることもできる。そのとき、付加情報が表示される第３領域６１０は、放送番組情報が表示される第１領域と区別され、第１領域とオーバレイされる。
【０１２１】
付加情報には、放送番組名、チャンネル名、放送時間（開始時間、終了時間、持続時間、現在進行時間）、等級、プログラム種類、代表イメージ、詳細情報（例えば、出演陣、監督、制作者、再放送情報、筋書、プレビュー、事前聞き）、シリーズ物の放送話数などが含まれてもよい。
【０１２２】
すなわち、本発明の一実施形態によれば、ディスプレイ装置１００は、第１領域で放送番組情報を簡単なアイコン形態で提供し、第３領域で、放送番組情報を具体的に提供することができる。
【０１２３】
一方、本発明の一実施形態によれば、現在放送されている放送コンテンツに係わる放送番組情報が選択される場合、ディスプレイ装置１００は、当該放送コンテンツを視聴している知人の情報を付加情報として提供することもできる。本発明の一実施形態による知人は、ソーシャルネットワーキング・サービス（ＳＮＳ）を介して連結された他のユーザでもある。知人情報には、現在視聴中の知人の数、知人のＩＤなどが含まれてもよい。
【０１２４】
図７Ａ及び図７Ｂは、本発明の一実施形態に係わる視聴履歴情報及び録画情報のうち、少なくとも一つを提供する画面を示す図である。
【０１２５】
本発明の一実施形態によれば、ディスプレイ装置１００は、第２方向への第２領域に、所定時間間隔で、視聴履歴情報及び録画情報のうち、少なくとも一つをディスプレイすることができる。説明の便宜上、第２方向が左側である場合を仮定する。すなわち、ディスプレイ装置１００は、現在時点に対応する時間軸を基準に、左側領域に、所定時間単位で、視聴履歴情報及び録画情報のうち、少なくとも一つをディスプレイすることができる。
【０１２６】
図７Ａに図示されたように、現在時間が午後８時である場合、ディスプレイ装置１００は、午後８時現在放送中であるか、あるいは午後８時以降に放送される少なくとも１つの放送番組情報を、第１領域（現在時点に対応する時間軸を基準に、右側領域）に表示することができる。
【０１２７】
そのとき、図７Ｂに図示されたように、ユーザが、選択領域を、現在時間軸より左に移動させる場合、ディスプレイ装置１００は、視聴履歴情報及び／または録画情報を画面に表示することができる。そのとき、ディスプレイ装置１００は、過去のヒストリー情報が表示されているということをユーザに知らせるためのＧＵＩ（例えば、Time：Before）を提供することもできる。
【０１２８】
本発明の一実施形態によれば、ディスプレイ装置１００は、選択領域が位置する視聴履歴情報、または録画情報に係わる付加情報を、画面の第３領域７１０にディスプレイすることもできる。そのとき、付加情報が表示される第３領域７１０は、視聴履歴情報または録画情報が表示される第２領域と区別され、第２領域とオーバレイされもする。
【０１２９】
視聴履歴情報または録画情報に係わる付加情報には、放送番組名、チャンネル名、放送時間（開始時間、終了時間、持続時間）、等級、プログラム種類、代表イメージ、詳細情報（例えば、出演陣、監督、制作者、再放送情報、筋書、プレビュー、事前聞き）、シリーズ物の放送話数などが含まれてもよい。
【０１３０】
一方、本発明の一実施形態によれば、録画されたコンテンツまたは視聴されたコンテンツがシリーズ物である場合、ディスプレイ装置１００は、中間で視聴していないか、あるいは録画していない回の分に係わる情報を、付加情報として提供することもできる。これについては、図１５Ａ，Ｂ及び図１６Ａ，Ｂを参照して後述する。
【０１３１】
従って、本発明の一実施形態によれば、ユーザは、選択領域（例えば、カーソル）を左右（または上下）に移動することにより、放送番組情報（例えば、ＥＰＧ形態）、視聴履歴情報、録画情報を簡単に検索して見ることができる。
【０１３２】
図８は、本発明の一実施形態に係わる検索語（カテゴリー）に基づいた情報提供方法を示すフローチャートである。図８を参照すれば、本発明の一実施形態による検索語（カテゴリー）に基づいた情報提供方法は、後述する図１７及び図１８に図示されたディスプレイ装置１００で、時系列的に処理される段階によって構成される。従って、以下で省略された内容であるとしても、図１７及び図１８に図示されたディスプレイ装置１００について記述された内容は、図８の情報提供方法にも適用されるということが分かる。
【０１３３】
段階８１０で、ディスプレイ装置１００は、ユーザから検索語を入力される。すなわち、ユーザは、検索したいコンテンツに係わるキーワードを、ディスプレイ装置１００に入力することができる。本発明の一実施形態によれば、ユーザは、ディスプレイ装置１００がタッチスクリーンを含む場合、ディスプレイ装置１００に対するタッチ入力を介して、検索語を入力することができる。また、本発明の他の実施形態によれば、ディスプレイ装置１００を制御する遠隔制御装置が移動端末である場合、ユーザは、移動端末に対するタッチ入力、ベンディング入力、モーション入力、キー入力などを介して、検索語を入力することもできる。
【０１３４】
本発明の一実施形態によれば、ディスプレイ装置１００は、少なくとも１つのカテゴリーに係わる選択を、ユーザから受信することもできる。本発明の一実施形態によるカテゴリーは、プログラムジャンルに係わるカテゴリー（例えば、ドラマ、映画、スポーツ、音楽、ラジオ、芸能、ニュース、時事、教育、シリーズなど）、放送チャンネルに係わるカテゴリー（例えば、ＣＨ ５、ＣＨ ６、ＣＨ ７など）、制作者に係わるカテゴリー、俳優に係わるカテゴリー、支払い方式に対するカテゴリー（例えば、無料コンテンツ、有料コンテンツ）、保存方式に対するカテゴリー（例えば、サーバに保存されたコンテンツ、ローカルに保存されたコンテンツ）など多様である。
【０１３５】
また、ディスプレイ装置１００は、サブ・カテゴリーに対する選択をさらに受信することもできる。例えば、ユーザは、ディスプレイ装置１００が提供するジャンルに係わるカテゴリーのうち「スポーツ」を選択し、スポーツに係わるサブ・カテゴリーとして、「野球」をさらに選択することができる。
【０１３６】
一方、ディスプレイ装置１００は、複数のカテゴリーに係わる選択を受信することもできる。例えば、ディスプレイ装置１００は、ユーザから「ドラマ」と「映画」との２つのカテゴリーを１回で選択することもある。
【０１３７】
段階８２０で、ディスプレイ装置１００は、所定時点（例えば、現在時点）に対応する放送番組情報のうち、検索語（またはカテゴリー）に対応する放送番組情報を抽出することができる。そして、段階８４０で、ディスプレイ装置１００は、検索語（またはカテゴリー）に対応する放送番組情報を、第１方向への第１領域にディスプレイすることができる。
【０１３８】
すなわち、ディスプレイ装置１００は、現在放送中であるか、あるいは現在以後に放送される放送コンテンツのうち、ユーザから入力された検索語（またはカテゴリー）及び放送コンテンツのみを抽出し、抽出された放送コンテンツに係わる放送番組情報を、第１領域に表示する。例えば、現在時刻が午後４時であり、ユーザが「アニメーション」という検索語を入力する場合、ディスプレイ装置１００は、午後４時以降に放送されるアニメーションに係わる放送番組情報のみを抽出し、第１領域にディスプレイすることができる。
【０１３９】
また、現在時刻が午後８時であり、ユーザがカテゴリーのうちドラマを選択した場合、ディスプレイ装置１００は、午後８時以降に放送される放送コンテンツ１，０００個のうち、ドラマと関連した放送コンテンツに係わる放送番組情報のみを抽出し、第１領域に表示することができる。
【０１４０】
段階８３０で、ディスプレイ装置１００は、検索語（またはカテゴリー）に対応する視聴履歴情報及び／または録画情報を抽出することができる。そして、段階８５０で、ディスプレイ装置１００は、検索語（またはカテゴリー）に対応する視聴履歴情報及び／または録画情報を、第２方向への第２領域にディスプレイすることができる。例えば、ユーザが「ワールドカップ」という検索語を入力する場合、ワールドカップ・サッカー競技に係わる視聴履歴情報及び／または録画情報のみを抽出し、第２領域にディスプレイすることができる。また、ユーザが「スポーツ」というカテゴリーを選択する場合、ディスプレイ装置１００は、スポーツ競技に係わる視聴履歴情報及び／または録画情報のみを抽出し、第２領域にディスプレイすることができる。図９を参照する。
【０１４１】
図９は、本発明の一実施形態に係わる検索語入力（カテゴリー選択）画面を示す図である。
【０１４２】
図９に図示されたように、ユーザは、検索窓９３０に検索語を直接入力することができる。ディスプレイ装置１００で、仮想のキーパッドを提供する場合、ユーザは、ディスプレイ装置１００に係わるタッチ入力でもって検索語を入力することができる。また、ユーザは、遠隔制御装置（例えば、ＴＶ専用リモコンまたは移動端末）を利用して、検索語を入力することもできる。
【０１４３】
一方、ユーザは、カテゴリー選択窓９４０を介して、カテゴリーを選択することもできる。ディスプレイ装置１００で提供するカテゴリーは、多様であり、ユーザの設定によって、カテゴリーが変更されもする。ユーザは、遠隔制御装置を操作したり、あるいはディスプレイ装置１００に付着したボタン、タッチ入力などを介して、カテゴリーを選択することができる。
【０１４４】
そのとき、ディスプレイ装置１００は、所定時点（例えば、８：００ｐｍ）に対応する放送番組情報のうち、ユーザによって選択された検索語（またはカテゴリー）に対応する放送番組情報のみを、第１領域９１０にディスプレイすることができる。または、ディスプレイ装置１００は、所定時点（例えば、８：００ｐｍ）以前に獲得された視聴履歴情報及び／または録画情報のうち、ユーザによって選択された検索語（またはカテゴリー）に対応する視聴履歴情報及び／または録画情報のみを、第２領域９２０にディスプレイすることができる。
【０１４５】
また、本発明の一実施形態によれば、ディスプレイ装置１００は、ユーザによって選択された検索語（またはカテゴリー）に対応する放送番組情報を、第１領域９１０にディスプレイし、ユーザによって選択された検索語（またはカテゴリー）に対応する視聴履歴情報及び／または録画情報を、第２領域９２０にディスプレイすることもできる。
【０１４６】
図１０は、本発明の一実施形態に係わるコンテンツ推薦方法について説明するためのフローチャートである。
【０１４７】
段階１０１０で、ディスプレイ装置１００は、視聴履歴情報及び録画情報のうち、少なくとも一つを基に、推薦コンテンツを決定することができる。例えば、ディスプレイ装置１００は、視聴履歴情報及び／または録画情報が分析し、曜日別、時間帯別に、ユーザが所定回数以上視聴する放送コンテンツを抽出したり、あるいは好む俳優情報、好むジャンル情報などを抽出することができる。その場合、ディスプレイ装置１００は、ユーザが特定時間台に反復的に視聴する放送コンテンツを推薦コンテンツとして決定するか、あるいは好むジャンルの好む俳優が出演する放送コンテンツを、推薦コンテンツとして決定することができる。
【０１４８】
本発明の一実施形態によれば、ディスプレイ装置１００は、ディスプレイ装置１００のユーザと関連性のある他のユーザの視聴履歴情報及び録画情報のうち、少なくとも一つをさらに考慮し、推薦コンテンツを決定することもできる。例えば、ＳＮＳ上で、知人関係にある他ユーザの視聴履歴情報及び／または録画情報に基づいて、推薦コンテンツを決定することができる。ＳＮＳ上での知人が、ＸＹＺコンテンツを所定回数（例えば、１０回）以上視聴したり、あるいは録画する場合、ディスプレイ装置１００は、ＸＹＺコンテンツを推薦コンテンツとして決定することができる。また、○○○コンテンツを、ＳＮＳ上での知人が、所定数以上（例えば、２０人）視聴したり、あるいは録画する場合、ディスプレイ装置１００は、○○○コンテンツを、推薦コンテンツとして決定することもできる。
【０１４９】
段階１０２０で、ディスプレイ装置１００は、推薦コンテンツに対応する放送番組情報に識別表示を行うことができる。すなわち、ディスプレイ装置１００は、第１領域にディスプレイされた放送番組情報のうち、推薦コンテンツに対応する放送番組情報に、識別表示を行うことができる。例えば、ディスプレイ装置１００は、推薦コンテンツに対応する放送番組情報の枠を太線で表示したり、あるいは推薦コンテンツに対応する放送番組情報のサイズを他の放送番組情報に比べて大きくしたり、あるいはフリッカリング、星表示などのアニメーション効果を追加することができる。図１１を参照する。
【０１５０】
図１１は、本発明の一実施形態に係わる推薦コンテンツを表示する画面を示す図である。
【０１５１】
図１１の第２領域１１２０に図示されたように、ユーザの視聴履歴情報及び／または録画情報が分析されれば、ユーザは、Ｙチームの野球競技をいつも視聴したり、あるいは録画し、○○ドラマを毎回視聴するということが分かる。その場合、ディスプレイ装置１００は、Ｙチームが出場する野球競技または○○ドラマを、推薦コンテンツとして決定することができる。
【０１５２】
従って、ディスプレイ装置１００は、第１領域１１１０の放送番組情報のうち、「Ｙ：Ｃの野球試合」及び「○○ドラマ８回」に係わる放送番組情報に、推薦コンテンツであるということを表示することができる。そして、ディスプレイ装置１００は、推薦コンテンツに係わる視聴予約や録画予約が行うできるＧＵＩ（graphical user interface）を共に提供することもできる。ディスプレイ装置１００は、視聴予約されたコンテンツの放送が始まる場合、ユーザにアラームメッセージを伝送するか、あるいは自動的にチャンネルを変更し、視聴予約されたコンテンツをユーザに提供することができる。
【０１５３】
一方、本発明の一実施形態による推薦コンテンツは、放送コンテンツ以外に、写真、個人映像、音楽、アプリケーションなどを含んでもよい。例えば、ユーザがディスプレイ装置１００を介して、周期的に特定ＳＮＳグループの写真を鑑賞する場合、ディスプレイ装置１００は、ＳＮＳグループに新たにアップロードされた写真を推薦して見せることができる。ユーザが、日曜日の朝ごとにアメリカにある家族と画像通話を行う場合、ディスプレイ装置１００は、画像通話のためのアプリケーションを、日曜日の朝に推薦することもある。ユーザが特定音楽を好んで鑑賞する場合、ディスプレイ装置１００は、特定音楽を推薦コンテンツとして決定することもできる。
【０１５４】
再び図１０に戻り、段階１０３０で、ディスプレイ装置１００は、推薦コンテンツが視聴されているか否かを判断することができる。もしユーザがディスプレイ装置１００を介して、推薦コンテンツを視聴していない場合、段階１０４０で、ディスプレイ装置１００は、放送アラーム情報を提供することができる。放送アラーム情報には、推薦コンテンツ名、放送チャンネル情報、放送開始時間などが含まれてもよい。
【０１５５】
例えば、ディスプレイ装置１００は、推薦コンテンツに係わる放送アラーム情報を、ディスプレイ装置１００の画面にディスプレイすることができる。また、ディスプレイ装置１００は、推薦コンテンツに係わる放送アラーム情報を、外部デバイス３００に送信することもできる。それについて、図１２及び図１３を参照して、さらに詳細に説明する。
【０１５６】
図１２は、本発明の一実施形態に係わる放送アラーム情報を表示する画面を示す図である。
【０１５７】
図１２に図示されたように、ユーザが○○ドラマを毎回視聴する場合、ディスプレイ装置１００は、○○ドラマを推薦コンテンツとして決定し、○○ドラマに係わる放送アラーム情報を画面に表示することができる。もし○○ドラマ第８回が１分後に始まるが、ユーザが異なるチャンネルを視聴している場合、ディスプレイ装置１００は、「○○ドラマ第８回１０ＰＭ開始予定、ＣＨ ７ ｇｏ」という放送アラーム情報を表示することができる。そのとき、ユーザが確認ボタンを押す場合、ディスプレイ装置１００は、ＣＨ ９をＣＨ ７に変更し、○○ドラマ第８回を提供することができる。
【０１５８】
図１３は、本発明の一実施形態に係わる放送アラーム情報を、外部デバイスに提供する画面を示す図である。本発明の一実施形態によれば、ディスプレイ装置１００は、推薦コンテンツをユーザが視聴していない場合、ユーザの移動端末に放送アラーム情報を提供することができる。そのとき、放送アラーム情報には、推薦コンテンツにアクセスすることができるリンク情報（例えば、ＵＲＩ：uniform resource identifier）が含まれてもよい。
【０１５９】
一方、本発明の一実施形態によれば、ディスプレイ装置１００は、視聴履歴情報及び録画情報のうち、少なくとも一つを基に、少なくとも１つの放送番組を自動的に録画することができる。例えば、視聴履歴情報及び／または録画情報を基に、決定された推薦コンテンツをユーザが視聴していない場合、ディスプレイ装置１００は、推薦コンテンツを自動的に録画することができる。
【０１６０】
図１４Ａ及び図１４Ｂは、本発明の一実施形態に係わる視聴履歴情報及び録画情報のうち、少なくとも一つをカレンダーにマッピングして提供する画面を示す図である。
【０１６１】
図１４Ａに図示されたように、ディスプレイ装置１００は、視聴履歴情報及び／または録画情報をカレンダーにマッピングしてディスプレイすることができる。その場合、ユーザは、視聴履歴及び録画記録を視覚的に一目で確認することができる。
【０１６２】
また、ディスプレイ装置１００は、視聴履歴情報及び／または録画情報を基に、カレンダー上で、放送コンテンツを推薦することも可能である。例えば、本日が５月２９日であり、ユーザが「★★ドラマ」を６回以外は毎回視聴した場合、ディスプレイ装置１００は、５月３０日に放送される「★★ドラマ第９回」を推薦コンテンツとして決定することができる。そして、ディスプレイ装置１００は、カレンダー上に視聴予約または録画予約のための、ＧＵＩ（graphical user interface）を提供することもできる。
【０１６３】
一方、ディスプレイ装置１００は、ユーザが視聴していない「★★ドラマ」第６回を、ＶＯＤなどを介して視聴するように、カレンダー上にＧＵＩ（graphical user interface）を提供することもできる。例えば、図１４Ａの５．１７．に表示された「視聴」を、タッチなどを介してユーザが選択する場合、図１４Ｂに図示されたように、ディスプレイ装置１００は、「★★ドラマ」第６回をＶＯＤなどを介してすぐに再生することができる。
【０１６４】
本発明の具現例により、図１４Ａの５．１７．に表示された「視聴」を、ユーザがタッチなどを介して選択する場合、ディスプレイ装置１００は、ユーザの移動端末で「★★ドラマ」第６回を伝送することもできる。
【０１６５】
図１５Ａ，Ｂ及び図１６Ａ，Ｂは、本発明の一実施形態に係わるシリーズ物の視聴履歴情報を提供する画面を示す図である。
【０１６６】
ユーザがディスプレイされた視聴履歴情報のうち、シリーズ物に係わるコンテンツを選択する場合、ディスプレイ装置１００は、次に視聴する話数のコンテンツを表示することができる。例えば、ユーザが、シリーズ物である「ＧＲＩＭＭ」を第１回から第６回まで視聴したと仮定する。ユーザが、視聴履歴情報上で最近に視聴した「ＧＲＩＭＭ ＃６」を選択する場合、図１５Ａに図示されたように、ディスプレイ装置１００は、次に視聴する話数である第７回を表示することができる。
【０１６７】
また、ディスプレイ装置１００は、「ＧＲＩＭＭ」第７回視聴にすぐ連結されるＧＵＩをユーザに提供することもできる。ユーザが「ＧＲＩＭＭ」第７回視聴にすぐ連結されるＧＵＩを選択する場合、図１５Ｂに図示されたように、ディスプレイ装置１００は、「ＧＲＩＭＭ」第７回コンテンツにすぐアクセスして再生することができる。
【０１６８】
一方、ユーザが、ディスプレイされた視聴履歴情報のうち、シリーズ物に係わるコンテンツを選択する場合、ディスプレイ装置１００は、中間で視聴していない話数のコンテンツを表示することもある。例えば、ユーザが、シリーズ物である「ＧＲＩＭＭ」を、第１回から第４回まで視聴した後、第５回を視聴せず、第６回、第７回を視聴した場合を仮定する。ユーザが視聴履歴情報上で、最近に視聴した「ＧＲＩＭＭ ＃７」を選択する場合、図１６Ａに図示されたように、ディスプレイ装置１００は、中間で視聴していない話数である第５回を表示することができる。
【０１６９】
また、ディスプレイ装置１００は、「ＧＲＩＭＭ」第５回視聴にすぐ連結されるＧＵＩをユーザに提供することもできる。ユーザが、「ＧＲＩＭＭ」第５回視聴にすぐ連結されるＧＵＩを選択する場合、図１６Ｂに図示されたように、ディスプレイ装置１００は、「ＧＲＩＭＭ」第５回コンテンツにすぐアクセスして再生することができる。
【０１７０】
従って、本発明の一実施形態によれば、ユーザは、視聴しようとするコンテンツが、シリーズ物コンテンツである場合、視聴履歴情報を利用して、次に視聴する話数のコンテンツや、中間で視聴していない話数のコンテンツに容易にアクセスすることができる。
【０１７１】
以下では、図１７及び図１８を参照して、本発明の一実施形態によるディスプレイ装置１００の構成について詳細に説明する。
【０１７２】
図１７は、本発明の一実施形態に係わるディスプレイ装置のブロック構成図である。
【０１７３】
図１７に図示されたように、本発明の一実施形態によるディスプレイ装置１００は、放送番組情報管理部１１０、ヒストリー管理部１２０、ディスプレイ部１３０、制御部１４０を含んでもよい。
【０１７４】
放送番組情報管理部１１０は、少なくとも１つの放送番組情報を受信することができる。放送番組情報管理部１１０は、放送番組情報のみを、放送管理サーバ２００から、別途の信号でもって受信することもでき、放送コンテンツと放送番組情報とが結合された形態の放送信号を受信した後、放送信号から放送番組情報を抽出することもできる。
【０１７５】
放送番組情報管理部１１０は、受信された放送番組情報を利用して、ＥＰＧ（electronic program guide）を構成することができる。本発明の一実施形態によれば、放送番組情報管理部１１０は、ディスプレイ装置１００で、現在再生中のプログラムが、次のプログラムに変更されることをモニタリングし、変更が検出されれば、新しいＥＰＧ（electronic program guide）を生成することもできる。
【０１７６】
放送番組情報管理部１１０は、所定周期で、放送管理サーバ２００から放送番組情報を獲得することができる。また、放送番組情報管理部１１０は、放送管理サーバ２００に放送番組情報を要求して獲得することもできる。
【０１７７】
放送番組情報管理部１１０は、ディスプレイ装置１００内で駆動するモジュールでもあり、ディスプレイ装置１００の外部で、サーバ形態で駆動されもする。
【０１７８】
ヒストリー管理部１２０は、過去に視聴されたコンテンツに係わる視聴履歴情報を獲得することができる。本発明の一実施形態によるヒストリー管理部１２０は、所定時間以上視聴されたコンテンツに係わる視聴履歴情報を獲得することができる。視聴された時間が所定時間未満である場合、ユーザがチャンネルを誤って選択したり、あるいはユーザがチャンネルを変更していて、しばらく視聴したと見ることができるので、ヒストリー管理部１２０は、所定時間以上視聴されたコンテンツについてのみ視聴履歴として管理する。
【０１７９】
本発明の一実施形態によれば、ヒストリー管理部１２０は、外部デバイス３００で視聴されたコンテンツに係わる情報を獲得することもできる。その場合、ヒストリー管理部１２０は、外部デバイス３００から、有無線通信を介して、直接視聴履歴情報を受信することもでき、外部サーバを介して、視聴履歴情報を受信することもできる。
【０１８０】
また、ヒストリー管理部１２０は、過去に録画されたコンテンツに係わる録画情報を獲得することができる。本発明の一実施形態による録画されたコンテンツは、放送コンテンツ視聴中に、ユーザによって録画されたコンテンツ及び予約録画されたコンテンツを含んでもよい。
【０１８１】
本発明の一実施形態によれば、ヒストリー管理部１２０は、所定時点が経過した視聴履歴情報及び／または録画情報を削除することができる。例えば、ヒストリー管理部１２０は、５年が過ぎた視聴履歴情報及び録画情報を削除することにより、効率的にメモリを管理することができる。
【０１８２】
ヒストリー管理部１２０は、ユーザ別に、視聴履歴情報及び／または録画情報を管理することもできる。すなわち、ディスプレイ装置１００に、ユーザの識別情報が登録されており、ユーザが、識別情報を介してログインした後でコンテンツを視聴したり、あるいは録画する場合、ヒストリー管理部１２０は、ユーザ別に視、聴履歴情報及び／または録画情報を管理することができる。例えば、ディスプレイ装置１００は、家族構成員のうち、母、父、息子、娘の別に、視聴履歴情報及び／または録画情報を管理することができる。
【０１８３】
本発明の一実施形態によるユーザの識別情報は、ユーザＩＤ、ニックネーム、電話番号などが含まれてもよく、ユーザが、移動端末を遠隔制御装置で利用する場合、ユーザの識別情報には、移動端末のデバイスＩＤ、固有一連番号、ＭＡＣアドレス、ＩＭＥＩ（international mobile equipment identity）などがさらに含まれてもよい。
【０１８４】
一方、本発明の一実施形態によれば、ヒストリー管理部１２０は、ディスプレイ装置１００内で駆動するモジュールでもあり、ディスプレイ装置１００の外部でサーバ形態で駆動されもする。
【０１８５】
ディスプレイ部１３０は、ディスプレイ装置１００で処理される情報を表示出力する。例えば、ディスプレイ部１３０は、所定時点に対応する放送番組情報を、画面の第１領域にディスプレイし、視聴履歴情報及び録画情報のうち、少なくとも一つを、画面の第２領域にディスプレイすることができる。そのとき、ディスプレイ部１３０は、タイムテーブル形態で、所定時点に対応する放送番組情報を、所定時点に対応する位置で、第１方向への第１領域にディスプレイし、視聴履歴情報及び録画情報のうち少なくとも一つを、所定時点に対応する位置で、第２方向への第２領域にディスプレイすることができる。
【０１８６】
本発明の一実施形態によれば、所定時点は、現在時点を含んでもよい。また、本発明の一実施形態によれば、第１方向は、所定時点に対応する位置から右側であり、第２方向は、所定時点に対応する位置から左側でもある。すなわち、本発明の一実施形態によれば、ディスプレイ部１３０は、現在の放送番組情報を、現在時間軸を基準に、右側領域にディスプレイし、過去の視聴履歴情報及び／または録画情報を、現在時間軸を基準に、左側領域にディスプレイすることができる。ただし、これは、本発明の一実施形態に過ぎないので、放送番組情報、視聴履歴、録画情報の配置が多様であるということは、当業者に自明な事項である。
【０１８７】
ディスプレイ部１３０は、所定時点に対応する放送番組情報を、第１領域に所定時間間隔で配列することができる。また、ディスプレイ部１３０は、所定時点以前に視聴されたコンテンツに係わる視聴履歴情報、及び所定時点以前に録画されたコンテンツに係わる録画情報を、第２領域に所定時間間隔で配列することもできる。
【０１８８】
そのとき、本発明の一実施形態によれば、ディスプレイ部１３０は、放送番組情報、視聴履歴情報、録画情報を格子で配列することができる。また、本発明の、他の実施形態によれば、ディスプレイ部１３０は、視聴履歴情報及び／または録画情報をカレンダーにマッピングしてディスプレイすることもできる。
【０１８９】
本発明の一実施形態によれば、ディスプレイ部１３０は、ユーザから入力された検索語またはカテゴリーに対応する視聴履歴情報を、第２領域にディスプレイすることができる。また、本発明の一実施形態によれば、ディスプレイ部１３０は、ユーザから入力された検索語またはカテゴリーに対応する録画情報を、第２領域にディスプレイすることもできる。
【０１９０】
また、ディスプレイ部１３０は、所定時点が変更された場合、変更された時点以前に視聴されたコンテンツに係わる視聴履歴情報、及び変更された時点以前に録画されたコンテンツに係わる録画情報のうち、少なくとも一つを、第２領域にディスプレイすることができる。すなわち、本発明の一実施形態によれば、所定時点が変更される場合、ディスプレイされる視聴履歴情報及び／または録画情報も変更されてもよいのである。
【０１９１】
一方、ディスプレイ部１３０は、ユーザ別に、視聴履歴情報及び／または録画情報を提供することもできる。すなわち、ユーザの識別情報が入力された場合、ディスプレイ部１３０は、ユーザの識別情報に対応する視聴履歴情報及び／または録画情報を、第２領域に表示することができる。
【０１９２】
本発明の一実施形態によれば、ディスプレイ部１３０は、第１領域にディスプレイされた放送番組情報のうち、推薦コンテンツに対応する放送番組情報に、推薦コンテンツであることを示すための識別表示を行うこともできる。識別表示は、色相を異なるように表示したり、あるいは枠線を太く表示したり、あるいは特定アイコンを追加したり、あるいはグラフィック効果を追加するなど多様である。
【０１９３】
本発明の一実施形態によれば、第２領域にディスプレイされた視聴履歴情報及び録画情報のうち、少なくとも一つに含まれたコンテンツに係わるユーザの選択が受信された場合、ディスプレイ部１３０は、選択されたコンテンツに対応する付加情報を画面にディスプレイすることができる。付加情報には、放送番組名、チャンネル名、放送時間（開始時間、終了時間、持続時間）、等級、プログラム種類、代表イメージ、詳細情報（例えば、出演陣、監督、制作者、再放送情報、筋書、プレビュー、事前聞き）などが含まれてもよい。また、ディスプレイ部１３０は、選択されたコンテンツがシリーズ物である場合、次に視聴する話数のコンテンツを提供したり、あるいは中間で視聴していない話数に係わる情報を提供することもできる。また、ディスプレイ装置１００は、次に視聴する話数のコンテンツや、中間で視聴していない話数のコンテンツに容易にアクセスすることができるＵＩ（user interface）をユーザに提供することができ、それを介してユーザは、次に視聴する話数のコンテンツや、中間で視聴していない話数のコンテンツに容易にアクセスすることができる。
【０１９４】
本発明の一実施形態によれば、ディスプレイ部１３０とタッチパッドとがレイヤ構造をなしてタッチスクリーンで構成される場合、ディスプレイ部１３０は、出力装置以外に、入力装置としても使用される。ディスプレイ部１３０は、液晶ディスプレイ（liquid crystal display）、薄膜トランジスタ液晶ディスプレイ（thin film transistor-liquid crystal display）、有機発光ダイオード（organic light-emitting diode）、フレキシブル・ディスプレイ（flexible display）、三次元ディスプレイ（３Ｄ display）、電気泳動ディスプレイ（electrophoretic display）のうち少なくとも一つを含んでもよい。そして、ディスプレイ装置１００の具現形態によって、ディスプレイ部１３０が２個以上存在することもある。
【０１９５】
制御部１４０は、一般的に、ディスプレイ装置１００の全般的な動作を制御する。すなわち、制御部１４０は、放送番組情報管理部１１０、ヒストリー管理部１２０、ディスプレイ部１３０を全般的に制御することができる。
【０１９６】
本発明の一実施形態による制御部１４０は、所定時点以前に視聴されたコンテンツ、及び所定時点以前に録画されたコンテンツのうち、少なくとも一つに係わるメタデータを抽出することができる。本発明の一実施形態によるメタデータには、視聴時刻、録画時刻に係わる情報が存在する。従って、ディスプレイ装置１００は、視聴されたコンテンツに係わるメタデータ、録画されたコンテンツに係わるメタデータを利用して、視聴履歴情報及び録画情報を時間順序で配列することができる。
【０１９７】
本発明の一実施形態による制御部１４０は、ユーザ入力に基づいて、所定時点を変更することができる。
【０１９８】
本発明の一実施形態によれば、制御部１４０は、視聴履歴情報及び録画情報のうち、少なくとも一つを基に、少なくとも１つの放送コンテンツを自動的に録画することもできる。すなわち、制御部１４０は、視聴履歴情報、録画情報を分析し、ユーザが好んで視聴（例えば、９０％以上視聴）したり、あるいは録画するコンテンツを自動的に録画することができる。例えば、ユーザが、ＡＢＣニュースを毎日午後８時に視聴するが、本日午後８時には電源がついていない場合、ディスプレイ装置１００は、ＡＢＣニュースを自動的に録画することができる。
【０１９９】
図１８は、本発明の他の実施形態に係わるディスプレイ装置のブロック構成図である。本発明の他の実施形態によるディスプレイ装置１００は、放送番組情報管理部１１０、ヒストリー管理部１２０、ディスプレイ部１３０、制御部１４０以外に、ユーザ入力部１５０、推薦部１６０、アラーム部１７０、保存部１８０、通信部１９０をさらに含んでもよい。そのとき、制御部１４０は、ユーザ入力部１５０、推薦部１６０、アラーム部１７０、保存部１８０、通信部１９０も全般的に制御することができる。
【０２００】
図１８のプログラム情報管理部１１０、ヒストリー管理部１２０、ディスプレイ部１３０、制御部１４０に係わる説明は、図１７のプログラム情報管理部１１０、ヒストリー管理部１２０、ディスプレイ部１３０、制御部１４０に係わる説明と重複するので省略する。
【０２０１】
ユーザ入力部１５０は、ユーザがディスプレイ装置１００を制御するためのデータを入力する手段を意味する。例えば、ユーザは、ユーザ入力部１５０を介して、電源オンオフ、チャンネル変更、ボリューム調整などを制御することができる。
【０２０２】
本発明の一実施形態によるユーザ入力部１５０は、キーパッド（key pad）、ドームスィッチ（dome switch）、タッチパッド（接触式静電容量方式、圧力式抵抗膜方式、赤外線感知方式、表面超音波伝導方式、積分式張力測定方式、ピエゾ効果方式など）、ジョグホイール、ジョグスィッチなどで構成されてもよい。特に、タッチパッドがディスプレイ部１３０と相互レイヤ構造をなす場合、それをタッチスクリーンと呼ぶことができる。
【０２０３】
本発明の一実施形態によるユーザ入力部１５０は、ディスプレイ装置１００を遠隔で制御するための遠隔制御装置を含んでもよい。本発明の一実施形態による遠隔制御装置には、ＴＶ専用リモコン、統合リモコン、遠隔制御機能を含む移動端末（例えば、携帯電話、スマートフォン、タブレットＰＣ、ＭＰ３プレイヤ）などがある。
【０２０４】
また、ユーザ入力部１５０は、ユーザからデータを入力されるための少なくとも一つ以上のモジュールを含んでもよい。例えば、ユーザ入力部１５０は、モーション認識モジュール、タッチ認識モジュール、音声認識モジュールなどを含んでもよい。
【０２０５】
モーション認識モジュールは、遠隔制御装置またはユーザの動きを認識し、認識された動きに係わる情報を制御部１４０に伝達することができる。本発明の一実施形態によれば、モーション認識モジュールは、カメラを介して、ユーザまたは遠隔制御装置の動きを感知することができる。本発明の一実施形態によるカメラは、深さカメラ（depth camera）、多視点カメラ（multi-view camera）などでもある。深さカメラは、time-of-flight（ＴＯＦ）技術を利用して、場面内の物体の距離（距離）情報をリアルタイムで測定し、測定された値は、深さ映像として出力され、両眼式カメラあるいは多視点カメラと共に、場面の高画質深さマップを制作するのに使用される。
【０２０６】
タッチ認識モジュールは、ユーザのタッチスクリーン上のタッチジェスチャを感知し、タッチジェスチャに係わる情報を、制御部１４０に伝達することができる。タッチスクリーンのタッチまたは近接タッチを感知するために、タッチスクリーンの内部または近くに、多様なセンサが具備されてもよい。タッチスクリーンのタッチを感知するためのセンサの一例として触覚センサがある。触覚センサは、人が感じる程度またはそれ以上に、特定物体の接触を感知するセンサをいう。上記触覚センサは、接触面の粗度、接触物体の硬度、接触地点の温度などの多様な情報を感知することができる。
【０２０７】
また、タッチスクリーンのタッチを感知するためのセンサの一例として、近接センサがある。
【０２０８】
近接センサは、所定の検出面にアクセスする物体、あるいは近傍に存在する物体の有無を、電子系の力または赤外線を利用して、機械的接触なしに検出するセンサをいう。近接センサの例としては、透過型光電センサ、直接反射型光電センサ、ミラー反射型光電センサ、高周波発振型近接センサ、静電容量型近接センサ、磁気型近接センサ、赤外線近接センサなどがある。ユーザのタッチジェスチャには、タップ、タッチ＆ホールド、ダブルタップ、ドラッグ、パニング、フリック、ドラッグアンドドロップなどがある。
【０２０９】
音声認識モジュールは、音声認識エンジンを利用して、ユーザの音声を認識し、認識された音声を、制御部１４０に伝達することができる。
【０２１０】
本発明の一実施形態によるユーザ入力部１５０は、ユーザから検索語を入力されてもよい。また、ユーザ入力部１５０は、ユーザからカテゴリーに係わる選択を受信することができる。そのとき、ユーザ入力部１５０は、サブ・カテゴリーに係わる選択、または複数のカテゴリーに係わる選択も受信することができる。
【０２１１】
ユーザ入力部１５０は、第１領域に表示された放送番組情報のうち少なくとも１つの放送番組情報に係わる選択を受信することができる。また、ユーザ入力部１５０は、第２領域に表示された視聴履歴情報及び／または録画情報に含まれた少なくとも１つのコンテンツに係わる選択を受信することもできる。
【０２１２】
ユーザ入力部１５０は、所定時点変更に係わるユーザの入力を受信したり、あるいはユーザの識別情報を入力されてもよい。
【０２１３】
推薦部１６０は、視聴履歴情報及び録画情報のうち、少なくとも一つを基に、推薦コンテンツを決定することができる。例えば、推薦部１６０は、視聴履歴情報及び／または録画情報を分析して、曜日別、時間帯別に、ユーザが所定回数以上視聴する放送コンテンツを抽出したり、あるいは好む俳優情報、好むジャンル情報などを抽出することができる。その場合、推薦部１６０は、ユーザが特定時間台に、反復的に視聴する放送コンテンツを推薦コンテンツとして決定するか、あるいはユーザの好む俳優が出演する放送コンテンツを、推薦コンテンツとして決定することができる。
【０２１４】
推薦部１６０は、ディスプレイ装置１００のユーザと関連性のある他のユーザの視聴履歴情報及び録画情報のうち、少なくとも一つをさらに考慮し、推薦コンテンツを決定することもできる。ユーザと関連性のある他のユーザの一例として、ＳＮＳ（social networking service）上での知人がある。
【０２１５】
アラーム部１７０は、推薦コンテンツに係わる放送アラーム情報を画面にディスプレイすることができる。また、アラーム部１７０は、外部デバイス３００に、推薦コンテンツに係わる放送アラーム情報を送信することもできる。放送アラーム情報には、推薦コンテンツ名、放送チャンネル情報、放送開始時間、推薦コンテンツ接近経路情報（例えば、ＵＲＩ：uniform resource identifier）などが含まれてもよい。
【０２１６】
保存部１８０は、制御部１４０の処理及び制御のためのプログラムが保存されてもよい。また、保存部１８０は、入出力されるデータの保存のための機能を遂行することもできる。例えば、保存部１８０は、放送番組情報、視聴履歴情報、録画情報、推薦コンテンツ情報などを保存することができる。
【０２１７】
保存部１８０は、フラッシュメモリ・タイプ（flash memory type）のメモリ、ハードディスク・タイプ（hard disk type）のメモリ、マルチメディアカード・マイクロタイプ（multimedia card micro type）のメモリ、カードタイプのメモリ（例えば、ＳＤメモリまたはＸＤメモリなど）、ＲＡＭ（random-access memory）、ＳＲＡＭ（static random access memory）、ＲＯＭ（read-only memory）、ＥＥＰＲＯＭ（electrically erasable programmable read-only memory）、ＰＲＯＭ（programmable read-only memory）、磁気メモリ、磁気ディスク、光ディスクのうち少なくとも１つのタイプの記録媒体を含んでもよい。また、ディスプレイ装置１００は、インターネット（internet）上で保存機能を遂行するウェブストレージ（web storage）を運用することもできる。
【０２１８】
通信部１９０は、ディスプレイ装置１００と外部サーバ（例えば、放送管理サーバ２００）との通信、またはディスプレイ装置１００と外部デバイス３００との通信を行うことを可能にする一つ以上の構成要素を含んでもよい。例えば、通信部１９０は、放送受信モジュール、移動通信モジュール、無線インターネット・モジュール、有線インターネット・モジュール、近距離通信モジュールなどを含んでもよい。
【０２１９】
放送受信モジュールは、放送チャンネルを介して、外部の放送管理サーバ２００から放送信号及び／または放送関連情報を受信する。放送チャンネルは、衛星チャンネル、地上波チャンネルを含んでもよい。放送関連情報は、放送チャンネル、放送番組または放送サービス提供者に係わる情報を意味することができる。放送信号は、ＴＶ放送信号、ラジオ放送信号、データ放送信号を含むだけではなく、ＴＶ放送信号またはラジオ放送信号に、データ放送信号が結合した形態の放送信号も含んでもよい。
【０２２０】
移動通信モジュールは、移動通信網上で、基地局、外部デバイス３００、外部サーバのうち少なくとも一つと無線信号を送受信する。無線インターネット・モジュールは、無線インターネット接続のためのモジュールをいい、無線インターネット・モジュールは、ディスプレイ装置１００に内蔵されり、あるいは外装されてもよい。例えば、無線ＬＡＮ（local area network）（Ｗｉ−Ｆｉ）がある。本発明の一実施形態による無線ラン（Ｗｉ−Ｆｉ）は、無線信号を伝達する無線共有器（ＡＰ：access point）が、周辺の一定半径内に存在する複数の端末とデータをやり取りするインフラストラクチャ（infrastructure）モード、ＡＰなしに端末同士、Ｐ２Ｐ（peer to peer）形態でデータをやり取りするアドホック・モードを含んでもよい。有線インターネット・モジュールは、有線インターネット接続のためのモジュールを意味する。
【０２２１】
近距離通信モジュールは、近距離通信のためのモジュールをいう。近距離通信技術で，ブルートゥース、ジグビー、ＷＦＤ（Ｗｉ−Ｆｉ direct）、ＵＷＢ（ultra wideband）、赤外線通信（ＩｒＤＡ：infrared data association）などがあるが、それらに限定されるものではない。
【０２２２】
ブルートゥース（Bluetooth）（登録商標）は、無線通信機器間に、近距離（short range）で低電力で無線通信を行うための標準である。ＵＷＢ（ultra wideband）とは、短距離区間で低電力で広いスペクトル周波数を介して，多量のデジタルデータを伝送する無線技術である。
【０２２３】
ＮＦＣ（near field communication）は、近接した機器間での磁場誘導を利用した近距離無線接続方式に係わり、いずれの方向にも通信が可能である。ＷＦＤ（Ｗｉ−Ｆｉ direct）とは、Ｗｉ−Ｆｉ技術の新たなバージョンであり、最大の特徴は、機器間の直接通信が可能であるという点である。すなわち、ホットスペット、ルータ、ＡＰ（access point）なしも、Ｗｉ−Ｆｉダイレクトが設置された機器さえあれば、機器同士で互いに通信して情報を共有することができる。また、ＷＦＤ（Ｗｉ−Ｆｉ direct）は、ブルートゥースのようにpairing手続きを進める必要がなく、最大約２００ｍほどほどまでの遠距離通信が可能であり、多くの機器と１：Ｎ通信が可能である。
【０２２４】
ジグビー（ZigBee）は、近距離通信を支援するＩＥＥＥ ８０２．１５．。４標準のうち一つをいう。ジグビー（ZigBee）は、家庭または事務室などの無線ネットワーキング分野で、１０〜２０ｍ前後の近距離通信と、ユビキタス・コンピュータとのための技術である。
【０２２５】
本発明の一実施形態による方法は、多様なコンピュータ手段を介して遂行されるプログラム命令形態に具現され、コンピュータ可読媒体に記録されてもよい。上記コンピュータ可読媒体は、プログラム命令、データファイル、データ構造などを、単独または組み合わせで含んでもよい。上記媒体に記録されるプログラム命令は、本発明のために、特別に設計されて構成されたものや、コンピュータ・ソフトウェア当業者に公知されて使用可能なものであってもよい。コンピュータ可読記録媒体の例としては、ハードディスク、フロッピーディスク（登録商標）及び磁気テープのような磁気媒体（magnetic media）；ＣＤ（compact disc）−ＲＯＭ、ＤＶＤ（digital versatile disc）のような光記録媒体（optical media）；フロプティカルディスク（floptical disk）のような磁気・光媒体（magneto-optical media）；及びＲＯＭ、ＲＡＭ、フラッシュメモリなどのようなプログラム命令を保存して遂行するように特別に構成されたハードウェア装置；が含まれる。プログラム命令の例としては、コンパイラによって作われるような機械語コードだけではなく、インタープリタなどを使用してコンピュータによって実行される高級言語コードを含む。
【０２２６】
本発明の一実施形態によれば、ユーザは、ディスプレイ装置１００を介して、放送番組情報以外に、視聴履歴情報及び録画情報を簡単に確認することができる。また、本発明の一実施形態によれば、ユーザは、ディスプレイ装置に表示された視聴履歴情報及び録画情報を利用して、好んで視聴するコンテンツに係わる視聴予約または録画予約を簡便に行うことができ、すでに視聴したか、あるいは録画されたコンテンツを容易に再生して視聴することができる。
【０２２７】
以上、本発明の実施形態について詳細に説明したが、本発明の権利範囲は、それらに限定されるものではなく、特許請求の範囲で定義している本発明の基本概念を利用した当業者の多くの変形及び改良形態も、本発明の権利範囲に属する。
【産業上の利用可能性】
【０２２８】
本発明の情報提供方法及びそのためのディスプレイ装置は、例えば、スマートＴＶ関連の技術分野に効果的に適用可能である。
【符号の説明】
【０２２９】
１００    ディスプレイ装置
１１０    放送番組情報管理部
１２０    ヒストリー管理部
１３０    ディスプレイ部
１４０    制御部
１５０   ユーザ入力部
１６０    推薦部
１７０    アラーム部
１８０    保存部
１９０    通信部
２００    放送管理サーバ
３００    外部デバイス
【図１】
2014027660.tif 000003
【図２】
2014027660.tif 000004
【図３】
2014027660.tif 000005
【図４】
2014027660.tif 000006
【図５】
2014027660.tif 000007
【図６Ａ】
2014027660.tif 000008
【図６Ｂ】
2014027660.tif 000009
【図６Ｃ】
2014027660.tif 000010
【図７Ａ】
2014027660.tif 000011
【図７Ｂ】
2014027660.tif 000012
【図８】
2014027660.tif 000013
【図９】
2014027660.tif 000014
【図１０】
2014027660.tif 000015
【図１１】
2014027660.tif 000016
【図１２】
2014027660.tif 000017
【図１３】
2014027660.tif 000018
【図１４Ａ】
2014027660.tif 000019
【図１４Ｂ】
2014027660.tif 000020
【図１５Ａ】
2014027660.tif 000021
【図１５Ｂ】
2014027660.tif 000022
【図１６Ａ】
2014027660.tif 000023
【図１６Ｂ】
2014027660.tif 000024
【図１７】
2014027660.tif 000025
【図１８】
2014027660.tif 000026